(57)【要約】【課題】本発明はモータでホルダを装着位置から移動させることができない場合に手動操作でホルダを排出方向に移動させる機構を簡素化することを課題とする。【解決手段】記録メディア駆動装置１０は、カバーに固着された軸３７と、軸３７により回動可能に支持されたメディア排出レバー３９と、メディア排出レバー３９を反時計方向に付勢するトーションバネ４１とから構成された手動操作用メディア排出機構３５を有する。このように、手動操作用メディア排出機構３５は、部品点数が少なくて済み、コンパクトな構成になっている。メディア排出レバー３９は、ホルダ５６の後方に配置されており、ホルダ５６がＡ方向に移動して装着位置に到着したホルダ５６の天板７４ａとカバーとの間に形成された隙間に設けられている。そのため、メディア排出レバー３９は、通常、ホルダ駆動機構６０によって移動するホルダ５６の動作を干渉しない位置に設けられている。【選択図】        図４
2004348814.tif 000002
【特許請求の範囲】
【請求項１】
記録メディアが挿入される挿入口を有する前面パネルと、
該挿入口に挿入された前記記録メディアを収容するホルダと、
該ホルダを装着位置へ移動させるホルダ駆動手段と、
一端が前記ホルダの一側端部に当接し、他端が前記ホルダの他側に延在するように形成され、回動可能に支持されたメディア排出部材と、を備えており、
前記前面パネルの挿入孔から挿入された手動操作用工具により前記メディア排出部材の他端を押圧し、前記メディア排出部材の回動により前記ホルダを排出方向へ移動させることを特徴とする記録メディア駆動装置。
【請求項２】
前記メディア排出部材は、前記ホルダと前記ホルダを覆うカバー部材との間に設けられたことを特徴とする請求項１記載の記録メディア駆動装置。
【請求項３】
前記ホルダ駆動手段は、駆動力を伝達する複数の伝達部材を有し、前記手動操作用工具の挿入により前記複数の伝達部材による伝達経路を分断させることを特徴とする請求項１記載の記録メディア駆動装置。
【請求項４】
前記メディア排出部材は、前記ホルダの移動を干渉しない位置に保持されており、前記手動操作用工具による押圧操作に伴って回動するように設けられたことを特徴とする請求項１記載の記録メディア駆動装置。
【請求項５】
前記メディア排出部材を復帰方向に付勢する付勢部材を設け、
前記手動操作用工具による押圧が解除されると共に、前記付勢部材の付勢力により初期位置に復帰させることを特徴とする請求項１記載の記録メディア駆動装置。
【発明の詳細な説明】
【０００１】
【発明の属する技術分野】
本発明は記録メディア駆動装置に係り、特に記録メディアを前面パネルの挿入口から挿入すると、自動的に内部に引き込むように構成された記録メディア駆動装置に関する。
【０００２】
【従来の技術】
例えば、パーソナルコンピュータなどの電子機器に内蔵され、記録メディアを挿脱可能とする記録メディア駆動装置がある。
【０００３】
この種の記録メディア駆動装置では、各種データが記録された任意の記録メディアを交換可能な構成になっており、モータの駆動力で記録メディアが挿入されたホルダを移動させて記録メディアを装着位置へ搬送するように構成されている。
【０００４】
また、装置内部に装着された記録メディアを交換する場合には、イジェクト操作によりホルダ駆動機構のモータを逆方向に回転駆動させてホルダを装着位置から排出方向に移動させて交換可能な初期位置に復帰させるように構成されている。
【０００５】
この種の記録メディア駆動装置では、ホルダ駆動機構のモータが正常に回転駆動されない場合には、装着された記録メディアを取り出すことができなくなる。そのため、記録メディア駆動装置においては、ホルダ駆動機構のモータが正常に回転駆動されない場合等の緊急事態に備えて手動操作によりホルダを排出方向へ移動させることができるように構成されている。
【０００６】
例えば、ディスク移送体によって端部側が押圧されて弾発力が蓄積されるととも、この弾発力によってディスク移送体を外方に移動させるための排出レバーを有するものがある。この構成のものは、操作工具を挿入してロックレバーを回動操作することにより、筐体に対するディスク移送体のロックが解除され、弾発力に駆動される排出レバーによりディスク移送体が筐体外方へ移動され、ディスク移送体に載置された記録メディアとしてのディスクの排出が行われるよう構成されている（例えば、特許文献１参照）。
【０００７】
【特許文献１】
特開平１１−１９１２５７号公報
【０００８】
【発明が解決しようとする課題】
上記のような手動式の排出機構を有する記録メディア駆動装置においては、手動操作工具により操作されるロックレバーと、ロックレバーの回動により回動される排出レバーと、操作歯車に設けられた係合操作片と、排出レバーを付勢するねじりコイルバネと、Ｌ字状レバーと、スライド操作レバーなどを有し、ロックレバーを回動操作してディスク移送体のロックを解除すると、このディスク移送体を筺体の外方へ排出する構成であり、部品点数が多く、設置スペースも大きいという問題があった。
【０００９】
そのため、上記のような手動式の排出機構を用いた構成では、記録メディア駆動装置の小型化、薄型化に対応することが難しかった。
【００１０】
そこで、本発明は上記課題を解決した記録メディア駆動装置を提供することを目的とする。
【００１１】
【課題を解決するための手段】
本発明は上記課題を解決するため、以下のような特徴を有する。
上記請求項１記載の発明は、記録メディアが挿入される挿入口を有する前面パネルと、挿入口に挿入された記録メディアを収容するホルダと、ホルダを装着位置へ移動させるホルダ駆動手段と、一端がホルダの一側端部に当接し、他端がホルダの他側に延在するように形成され、回動可能に支持されたメディア排出部材と、を備えており、前面パネルの挿入孔から挿入された手動操作用工具によりメディア排出部材の他端を押圧し、メディア排出部材の回動によりホルダを排出方向へ移動させるものであり、部品点数を削減して構成の簡素化が図られると共に、比較的小さな操作力でホルダを初期位置に戻すことが可能になる。
【００１２】
また、請求項２記載の発明は、メディア排出部材が、ホルダとホルダを覆うカバー部材との間に設けられているので、装置の小型化及び薄型化に対応しうる。
【００１３】
また、請求項３記載の発明は、ホルダ駆動手段が、駆動力を伝達する複数の伝達部材を有し、手動操作用工具の挿入により複数の伝達部材による伝達経路を分断させるものであり、ホルダの負荷を軽減した状態でホルダを排出方向に移動させることが可能になる。
【００１４】
また、請求項４記載の発明は、メディア排出部材が手動操作用工具による押圧操作に伴って回動するようにホルダの移動を干渉しない位置に保持されており、通常のホルダ搬送動作がメディア排出部材によって妨げられることを防止しうる。
【００１５】
また、請求項５記載の発明は、メディア排出部材を復帰方向に付勢する付勢部材を設け、手動操作用工具による押圧が解除されると共に、付勢部材の付勢力により初期位置に復帰させるものであり、メディア排出部材を回動させて記録メディアを装着位置から初期位置に移動させた後、メディア排出部材を復帰させるための操作を行う必要がない。
【００１６】
【発明の実施の形態】
以下、図面と共に本発明の一実施例について説明する。
図１は本発明になる記録メディア駆動装置の一実施例を示す図であり、（Ａ）は正面図、（Ｂ）は平面図、（Ｃ）は背面図、（Ｄ）は左側面図、（Ｅ）は右側面図である。
【００１７】
図１（Ａ）〜（Ｅ）に示されるように、記録メディア駆動装置１０は、箱状のシャーシ１２の上部にカバー１４が取り付けられており、シャーシ１２の前面には前面パネル１６が取り付けられている。また、シャーシ１２の後部には、後部パネル１８が取り付けられている。
【００１８】
カバー１４は、シャーシ１２の上面を覆う天板１４ａと、シャーシ１２の左右側面１２ｃ，１２ｄ（図６参照）を覆う側板１４ｂ，１４ｃとを有する。また、側板１４ｂ，１４ｃには、シャーシ１２の突起１２ａを嵌合係止する係止用孔１４ｄが２箇所ずつ設けられ、且つ右側の側板１４ｃには、リムーバブル検出用スイッチ１９（図１中、破線で示す）の切片に対向する開口１４ｅが設けられている。
【００１９】
前面パネル１６は、後述する記録メディアが挿入される挿入口２０と、イジェクト釦２２と、エマージェンシー用孔２４とが設けられている。また、挿入口２０は、内側に回動可能に設けられた蓋部材２６により開閉される。
【００２０】
後部パネル１８は、外部コネクタ（図示せず）が接続される入出力用コネクタ２８と、電源用プラグ３０と、ＵＳＢ（Ｕｎｉｖｅｒｓａｌ  Ｓｅｒｉａｌ  Ｂｕｓ）用コネクタ３２と、ロック用孔３４とが設けられている。
【００２１】
ここで、本実施例に適用される記録メディアの形状について説明する。本実施例では、記憶容量の異なるハードディスクが内蔵された２種類の記録メディアを考えている。
【００２２】
図２は２．５インチディスクの記録メディアの一例を示す図であり、（Ａ）は平面図、（Ｂ）は正面図、（Ｃ）は側面図である。
図２（Ａ）〜（Ｃ）に示されるように、第１の記録メディア３６は、樹脂製カートリッジ３８の内部に記録媒体としての磁気ディスク（図示せず）が収納されている。カートリッジ３８は、挿入側端部３６ａにコネクタ４０が設けられ、左右側面に挿入・イジェクト方向（Ａ，Ｂ方向）に延在するガイド溝４２と、クランプ用凹部４４を有する。
【００２３】
図３は１．８インチディスクの記録メディアの一例を示す図であり、（Ａ）は平面図、（Ｂ）は正面図、（Ｃ）は側面図である。
図３（Ａ）〜（Ｃ）に示されるように、第２の記録メディア４６は、樹脂製カートリッジ４８の内部に記録媒体としての磁気ディスク（図示せず）が収納されている。カートリッジ４８は、挿入側端部４６ａにコネクタ５０が設けられ、左右側面に挿入・イジェクト方向（Ａ，Ｂ方向）に延在するガイド溝５２と、クランプ用凹部５４を有する。
【００２４】
上記第１、２の記録メディア３６，４６は、挿入側端部３６ａ，４６ａに設けられたコネクタ４０，５０が共通であり、且つガイド溝４２，５２の高さ位置やクランプ用凹部４４，５４の形状及び位置も共通である。また、カートリッジ３６，４８は、横幅寸法が同一寸法であるが、奥行き寸法が異なっており、カートリッジ３６の奥行き寸法が大に形成されている。
【００２５】
図４はカバー１４を外した状態を示す平面図である。図５（Ａ）は前面パネル１６を内側からみた背面図、（Ｂ）は蓋部材２６の開閉動作を示す側面図である。図６は前面パネル１６を外したシャーシ１２の内部構造を示す縦断面図である。
図４及び図５（Ａ）（Ｂ）に示されるように、前面パネル１６の内側には、挿入口２０を開閉する蓋部材２６が回動自在に支持されている。蓋部材２６は、挿入口２０に対向するフラップ２６ａと、フラップ２６ａの上部両端より左右方向に突出する軸２６ｂ，２６ｃとを有する。そして、前面パネル１６の裏面には、軸２６ｂ，２６ｃを軸承する軸受け部１６ａ，１６ｂが設けられている。
【００２６】
軸２６ｂには、トーションバネ２７が巻装されており、トーションバネ２７のバネ力によりフラップ２６ａが閉方向に付勢されている。従って、記録メディア３６，４６は、挿入口２０に挿入されることにより、挿入側端部３６ａ，４６ａがフラップ２６ａを挿入方向（Ａ方向）に押圧してフラップ２６ａを開方向に回動させる。
【００２７】
その際、蓋部材２６は、トーションバネ２７のバネ力に抗して開方向に回動して記録メディア３６，４６の挿入経路から退避しており、挿入動作を妨げないように構成されている。そして、奥行き寸法の短い記録メディア４６も後部が通過すると共に、閉方向に回動して挿入口２０を閉塞して埃などが内部に進入することを防止する。また、奥行き寸法の長い記録メディア３６の場合には、排出側端部３６ｂが挿入口２０を閉塞した状態で装着完了になるため、蓋部材２６は、記録メディア３６の上面に当接する開位置に退避している。
【００２８】
図４に示されるように、シャーシ１２の底面１２ｂには、記録メディア３６，４６が挿入されるホルダ５６と、ホルダ５６の移動方向をガイドする一対のガイド部材５８，５９と、ホルダ５６を駆動するホルダ駆動機構６０と、蓋部材２６を開閉させる開閉機構６２と、記録メディア３６，４６のコネクタ４０，５０が接続されるメディア用コネクタ６４が搭載された基板６６とが設けられている。
【００２９】
また、装置後部には、ホルダ駆動機構６０がホルダ５６を排出方向（Ｂ方向）に駆動することができない場合に、後述するエマージェンシー用工具（手動操作用工具）を用いてホルダ５６を排出方向へ移動させる手動操作用メディア排出機構３５が設けられている。
また、ホルダ５６には、メディア誤挿入防止機構５７が設けられている。
【００３０】
ここで、メディア誤挿入防止機構５７について説明する。
メディア誤挿入防止機構５７は、ホルダ５６の上面にＡ，Ｂ方向に摺動可能に取り付けられたメディア挿入検出部材６１と、メディア挿入検出部材６１を排出方向に付勢するコイルバネ６３と、ホルダ５６の左側上面に摺動可能に取り付けられたスライド部材８０と、記録メディア３６，４６の挿入によりスライド部材８０がＡ方向に摺動したことを検出するメディア挿入検出センサ７８と、から構成されている。
【００３１】
また、メディア挿入検出部材６１は、ホルダ５６の上面中央に取り付けられた押え板６５によりＡ，Ｂ方向に摺動をガイドされると共に、ホルダ５６からの脱落が防止される。メディア挿入検出部材６１は、挿入側端部の右端にホルダ５６内に突出するメディア当接ピン６７を有する。このメディア当接ピン６７は、ホルダ５６内に挿入された記録メディア３６，４６の挿入側端部に当接するように設けられている。
【００３２】
また、基板６６には、上記メディア用コネクタ６４の他にリムーバブル検出用スイッチ１９、入出力用コネクタ２８、電源用プラグ３０、ＵＳＢ用コネクタ３２、ホルダ検出スイッチ６８、装着検出スイッチ７０、制御回路７２が搭載されている。尚、制御回路７２は、マイクロコンピュータによって構成しても良いし、あるいはアナログ回路によって構成しても良い。
【００３３】
ここで、本発明の要部を構成する手動操作用メディア排出機構３５の構成について図４及び図７乃至図９を併せ参照して説明する。
図７はカバー１４及び前面パネル１６を外した状態を示す正面図である。図８はカバー１４及び背面パネル１８を外した状態を示す背面図である。図９はカバー１４を外した状態を示す側面図である。
【００３４】
図４及び図７乃至図９に示されるように、手動操作用メディア排出機構３５は、カバー１４（図４では省略してある）に固着された軸３７と、軸３７により回動可能に支持されたメディア排出レバー（メディア排出部材）３９と、メディア排出レバー３９を反時計方向に付勢するトーションバネ４１とから構成されている。このように、手動操作用メディア排出機構３５は、部品点数が少なくて済み、コンパクトな構成になっている。
【００３５】
メディア排出レバー３９は、ホルダ５６の後方に配置されており、ホルダ５６がＡ方向に移動して装着位置に到着したホルダ５６の天板７４ａとカバー１４との間に形成された隙間に位置するように設けられている。そのため、メディア排出レバー３９は、ホルダ駆動機構６０によって移動するホルダ５６の動作を干渉しない高さ位置に設けられている。よって、記録メディア駆動装置１０は、手動操作用メディア排出機構３５が設けられても大型化せず、小型化及び薄型化されている。
【００３６】
また、メディア排出レバー３９は、トーションバネ４１のバネ力により初期位置（図４に示す位置）に保持されており、ホルダ駆動機構６０によって移動するホルダ５６の動きを妨げないように設けられている。さらに、メディア排出レバー３９は、後述するように、ホルダ５６を初期位置に移動させた後、トーションバネ４１のバネ力により初期位置に自動的に復帰するため、手動操作でホルダ５６を排出方向に移動させた後に余計な操作を行う必要がない。
【００３７】
ブラケット１２ｅの背面側には、エマージェンシー用工具４３（図１１参照）の挿入をガイドするＵ字状溝を有するガイド部材７１（図４、図９参照）が取り付けられている。また、カバー１４の天板１４ａの下面には、エマージェンシー用工具の挿入をガイドする中空形状のガイド部材７９（図６参照）が取り付けられている。ガイド部材７１及び７９は、前面パネル１６のエマージェンシー用孔２４からＡ方向に延在する同一直線上に位置するように設けられている。
【００３８】
図７及び図８に示されるように、摺動部材７４，７５を重ね合わせたホルダ５６の内部には、メディア当接ピン６７、後述するスライド部材８０，８１の当接部８０ｇ，８１ｇと、当接部７５ｆ，７５ｇが記録メディア３６，４６の挿入経路に突出している。
【００３９】
そのため、ホルダ５６内に挿入された記録メディア３６，４６は、最初にメディア当接ピン６７を押圧してメディア挿入検出部材６１を挿入方向に移動させ、続いて、当接部８０ｇ，８１ｇに当接してスライド部材８０，８１を挿入方向に移動させながら両側からクランプされる。さらに、記録メディア３６，４６は、当接部７５ｆ，７５ｇに当接してホルダ５６への挿入が完了する。これと同時にメディア挿入検出センサ７８がメディア挿入検出信号を出力してホルダ駆動機構６０のモータ８６が起動される。
【００４０】
また、記録メディア３６，４６の挿入経路の奥部には、メディア用コネクタ６４が設けられている。そのため、ホルダ５６がＡ方向に駆動されて装着位置（後述する）に到着する過程で記録メディア３６，４６のコネクタ４０，５０がメディア用コネクタ６４に接続される。
【００４１】
ここで、ホルダ駆動機構６０の構成について説明する。
図４に示されるように、ホルダ駆動機構６０は、ピニオン９８がホルダ５６の左側面に固定されたラック１００に噛合する構成である。また、ピニオン９８は、軸方向に摺動可能支持されている。さらに、ピニオン９８に隣接された軸１０２には、噛合解除部材９５が軸方向に摺動可能に設けられており、且つコイルバネ１０４により側方（Ｄ方向）に付勢されている。この噛合解除部材９５は、コイルバネ１０４のバネ力によりピニオン９８を側方（Ｄ方向）に付勢しており、ピニオン９８がラック１００に噛合する噛合位置に保持されている。
【００４２】
噛合解除部材９５は、エマージェンシー用工具４３の挿入経路に設けられており、後述するようにエマージェンシー用工具４３がエマージェンシー用孔２４から装置内部に挿入されると、ピニオン９８をラック１００から離間するＣ方向にスライドさせてピニオン９８とラック１００との噛合を解除する。
【００４３】
また、ホルダ駆動機構６０は、図９に示されるように、シャーシ１２の後部左側に配置されたモータ８６と、モータ８６からの回転駆動力をホルダ５６に伝達する伝達機構８８とから構成されている。伝達機構８８は、モータ８６の回転軸に嵌合されたウォーム９０と、ウォーム９０に噛合するウォームホイール９１及び減速ギヤ９２と、減速ギヤ９２に駆動されるピニオン９８と、ピニオン９８が噛合するラック１００とから構成されている。
【００４４】
ラック１００は、ホルダ５６の左側面に固定されており、Ａ，Ｂ方向に延在している。そのため、モータ８６の回転駆動力がピニオン９８に伝達されると、ラック１００と共にホルダ５６はＡ，Ｂ方向に移動する。
【００４５】
図９に示されるように、開閉機構６２は、ラック１００と一体に形成された垂直壁１００ａの端部に設けられた傾斜カム部（図示せず）に押圧されるクランク部材１０６と、クランク部材１０６を回動可能に支持するブラケット１０８と、クランク部材１０６を時計方向に付勢するトーションバネ１１０と、クランク部材１０６の偏心ピン１０６ａに連結された開閉アーム１１２と、から構成されている。蓋部材２６は、記録メディア排出時に開閉機構６２によって内側に回動して挿入口２０を開放する。また、記録メディア挿入時は、Ａ方向に押圧されて開動作する。
【００４６】
図１０はメディア排出レバー３９の構成を示す図であり、（Ａ）は平面図、（Ｂ）は正面図である。
図１０（Ａ）（Ｂ）に示されるように、メディア排出レバー３９は、水平方向に延在するレバー本体３９ａと、レバー本体３９ａの長手方向の中央付近には、軸３７が嵌合される孔３９ｂと、レバー本体３９ａの右端に取り付けられたローラ３９ｃと、レバー本体３９ａの左端に取り付けられた押圧操作部３９ｄと、トーションバネ４１の一端が係止される長孔３９ｅとから構成されている。
【００４７】
ローラ３９ｃは、後述するように押圧操作部３９ｄがＡ方向に押圧されてレバー本体３９ａが時計方向に回動すると共に、ホルダ５６を排出方向（Ｂ方向）に押圧する。また、ローラ３９ｃは、ホルダ押圧動作時の摩擦を軽減するように回転自在に設けられている。
【００４８】
押圧操作部３９ｄは、後述するように前面パネル１６のエマージェンシー用孔２４から挿入されたエマージェンシー用工具４３の端部が当接する受け部３９ｆを有する。この受け部３９ｆは、幅広形状に形成されており、エマージェンシー用工具４３の端部が当接しやすいように厚みがあり、且つ円弧状に形成されている。
【００４９】
メディア排出レバー３９は、カバー１４に固着された軸３７により水平方向に回動可能に支持されており、受け部３９ｆの中心から軸３７までの距離Ｌａと軸３７からローラ３９ｃの中心までの距離Ｌｂとを比較すると、Ｌａ＜Ｌｂである。そのため、メディア排出レバー３９は、受け部３９ｆの移動距離に対してローラ３９ｃの移動距離が拡大されるように設けられている。
【００５０】
尚、ローラ３９ｃの移動距離は、軸３７の位置によってＬａ／Ｌｂの比が変更できるので、受け部３９ｆの移動距離に対するローラ３９ｃの移動距離を任意の値になるように設定することができる。
【００５１】
図１１はエマージェンシー用工具の一例を示す平面図である。
図１１に示されるように、エマージェンシー用工具４３は、金属製丸棒をＬ字状に曲げたものであり、エマージェンシー用孔２４から装置内部に挿入される挿入部４３ａと、挿入部４３ａの端部から直角に曲げられた把持部４３ｂとからなる。また、挿入部４３ａの全長は、記録メディア駆動装置１０の奥行き寸法より若干長く形成されている。そして、挿入部４３ａの端部は、受け部３９ｆを傷つけないように球面形状とされている。
【００５２】
尚、本実施例では、図１１に示すようなエマージェンシー用工具４３を用いてメディア排出レバー３９を回動させることができるが、これに限らず、他の形状のものでも良いし、例えば、記録メディア駆動装置１０の奥行き寸法より長い針金状のものを利用することも可能である。
【００５３】
図１２は噛合解除部材９５の構成を示す図であり、（Ａ）は正面図、（Ｂ）は平面図、（Ｃ）は背面図、（Ｄ）は左側面図、（Ｅ）は右側面図である。
図１２（Ａ）〜（Ｅ）に示されるように、噛合解除部材９５は、軸１０２が挿通される軸孔９５ａと、ピニオン９８の右側面に当接するように延在形成された第１の当接部９５ｂと、ピニオン９８の左側面に当接するように延在形成された第２の当接部９５ｃと、エマージェンシー用工具４３の挿入方向に対して傾斜するカム面９５ｄを有する。
【００５４】
エマージェンシー用孔２４から装置内部に挿入されたエマージェンシー用工具４３は、その先端を噛合解除部材９５のカム面９５ｄに当接し、カム面９５ｄをＣ方向に押圧する。これにより、噛合解除部材９５は、コイルバネ１０４のバネ力に抗してＣ方向にスライドしてピニオン９８をラック１００から離間させて噛合解除することで、ピニオン９８をフリー状態に切り替えることが可能になる。
【００５５】
従って、すなわち、メディア装着状態でモータ８６が故障した場合でもピニオン９８を噛合解除位置にスライドさせることにより、ホルダ５６をメディア排出方向（Ｂ方向）に移動させることが可能になる。
【００５６】
ここで、ホルダ５６の構成について図１３乃至図１６を併せ参照して説明する。
図４及び図６に示されるように、ホルダ５６は、シャーシ１２の底面１２ｂ上に起立するガイド部材５８，５９により前面パネル１６の挿入口２０に対向する高さ位置で移動可能に支持されており、挿入口２０を通過した記録メディア３６または４６が挿入される。
【００５７】
ホルダ５６は、板金をコ字状に曲げ加工された２つの摺動部材７４，７５が一体的に結合されたものであり、外側に設けられた第１の摺動部材７４はガイド部材５８，５９の上端に横架されるように形成された天板７４ａと、ガイド部材５８，５９の外側面に摺動可能に対向する側板７４ｂ，７４ｃとを有する。
【００５８】
また、シャーシ１２の底面１２ｂより起立したＳＷ基板１２ｅには、イジェクト釦２２に対向する高さ位置にイジェクトスイッチ７３が設けられている。このイジェクトスイッチ７３は、イジェクト釦２２が押圧操作された場合にオンに切り替わり、イジェクト信号を出力する。
【００５９】
ホルダ５６の天板７４ａには、記録メディア３６，４６を左右両側から挟持するクランプ機構７６，７７とが設けられている。また、カバー１４の天板１４ａの下面には、エマージェンシー用工具の挿入をガイドするガイドレール７９が取り付けられている。
【００６０】
また、ホルダ５６の左側面に対向する位置には、フォトインタラプタからなるメディア挿入検出センサ７８が設けられている。このメディア挿入検出センサ７８は、発光素子と受光素子とを有しており、ホルダ５６に記録メディア３６または４６が正しい向きで挿入された場合に、発行素子からの光が挿入方向に摺動するスライド部材８０の端部に反射して受光素子に受光される。
【００６１】
また、メディア挿入検出センサ７８において、反射光を受光してスライド部材８０が挿入方向（Ａ方向）に移動したことが検出され、その検出信号が出力されることでホルダ駆動機構６０のモータ８６が起動されてホルダ５６を挿入方向へ駆動することが可能になる。
【００６２】
図１３及び図１４に示されるように、摺動部材７４，７５は、第１の摺動部材７４が上側に配置され、第２の摺動部材７５が下側に配置されるように一体的に結合されたものである。そして、摺動部材７４の下側に取り付けられた第２の摺動部材７５は、天板７４ａの下面に密着する天板７５ａと、ガイド部材５８，５９の内側で下方に曲げられた側板７５ｂ，７５ｃとを有する。
【００６３】
側板７４ｂ，７４ｃと側板７５ｂ，７５ｃとの間には、ガイド部材５８，５９のガイド壁５８ａ，５９ａが挿通されることでホルダ５６のＡ，Ｂ方向の摺動動作をガイドされる。また、側板７５ｂ，７５ｃの内壁には、記録メディア３６，４６のガイド溝４２，５２に嵌合するガイド部７５ｄ，７５ｅが突出している。
【００６４】
図１３乃至図１６に示されるように、天板７５ａの挿入側には、記録メディア３６，４６の挿入側端部３６ａ，４６ａが当接する一対の当接部７５ｆが下方に突出している。また、右側の側板７５ｃの挿入側端部にも記録メディア３６，４６の挿入側端部３６ａ，４６ａが当接する当接部７５ｇが内側に突出している。この一対の当接部７５ｆ，７５ｇは、記録メディア３６，４６が正しい向きで挿入された場合の最終的な挿入位置を規制するストッパであるのと、誤挿入時における装置内部へのメディア落下防止の当接部も兼ねている。
【００６５】
尚、この当接部７５ｆはホルダと一体でも、別部品の取り付けによる構成にしても構わない。
【００６６】
さらに、第１の摺動部材７４の天板７４ａには、後述するクランプ機構７６，７７のスライド部材８０，８１の摺動動作をガイドする傾斜ガイド部７４ｆが左右に２箇所ずつ合計４箇所に設けられている。
【００６７】
また、天板７４ａ，７５ａには、メディア挿入検出部材６１の左側の摺動方向をガイドする長孔７４ｈ，７５ｈと、メディア挿入検出部材６１の挿入側右端より下方に突出するメディア当接ピン６７が挿通される長孔７４ｉ，７５ｉと、メディア挿入検出部材６１を排出方向に付勢するコイルバネ６３が挿入されるバネ収容孔７４ｊ，７５ｊとが設けられている。
【００６８】
また、天板７４ａの左右には、コイルバネ６３の一端を掛止するバネ掛止孔７４ｋと、トーションバネ８２，８３が嵌合される円形のバネ取付部７４ｌと、スライド部材８０，８１が記録メディア３６，４６をクランプするためのクランプ用穴７４ｍと、スライド部材８０，８１の端部から側方に突出する突出部（後述する）が挿通される挿通穴７４ｎが設けられている。
【００６９】
さらに、天板７４ａの中央に設けられた四角形状の開口７４ｏには、天板７５ａの押え板取り付け部７５ｋが露出している。そして、摺動部材７４は、天板７４ａの挿入側右端にメディア排出部材３９のローラ３９ｃに押圧される被押圧部７４ｐがＡ方向に突出している。
【００７０】
図１５に示されるように、左側の側板７４ｂは、後述するようにホルダ５６が初期位置にあるときメディア挿入検出センサ７８に対向する長方形状の検出用穴７４ｑが設けられている。そのため、ホルダ５６内に正しい向きで挿入された記録メディア３６，４６は、後述するクランプ機構７６，７７のスライド部材８０，８１をＡ方向に押圧する。その際、左側のスライド部材８０は、検出用穴７４ｑを介してメディア挿入検出センサ７８からの検出光が照射され、その反射光はメディア挿入検出センサ７８によって検出される。
【００７１】
ここで、クランプ機構７６，７７の構成について説明する。
クランプ機構７６，７７は、ホルダ５６に挿入される記録メディア３６，４６の挿入動作により記録メディア３６，４６の両側を押圧して挟持するように構成されており、天板７４ａに摺動可能に取り付けられたスライド部材８０，８１と、スライド部材８０，８１を外側（左右側方）へ付勢するトーションバネ８２，８３とから構成されている。
【００７２】
図１７はホルダ５６の左側に配置されたスライド部材８０の構成を示す図であり、（Ａ）は正面図、（Ｂ）は平面図、（Ｃ）は背面図、（Ｄ）は左側面図、（Ｅ）は右側面図、（Ｆ）は底面図である。
図１７（Ａ）〜（Ｅ）に示されるように、スライド部材８０は、天板７４ａを摺動する摺動部８０ａと、摺動部８０ａの摺動方向の両端より延在して天板７４ａに対して抜け防止される延出部８０ｂ，８０ｃと、トーションバネ８２の一端が掛止されるバネ掛止部８０ｄとを有する。延出部８０ｃは、ホルダ５６に記録メディア３６，４６が挿入されていない待機状態のとき前述したメディア挿入検出部材６１の規制部６１ｂの下面に当接しており（図４参照）、挿入方向への摺動が規制される。
【００７３】
また、摺動部８０ａの下面には、一対のガイドピン８０ｅ，８０ｆと、記録メディア３６，４６の挿入側端部３６ａ，４６ａに当接する当接部８０ｇと、一対のガイドピン８０ｅ，８０ｆの中間位置で台形状に形成された係合部８０ｈとが突出している。
【００７４】
一対のガイドピン８０ｅ，８０ｆは、天板７４ａに形成された傾斜ガイド部７４ｆ（図１３参照）に嵌合するため、当接部８０ｇが記録メディア３６，４６の挿入側端部３６ａ，４６ａにより挿入方向（Ａ方向）に押圧された場合、傾斜ガイド部７４ｆに沿って内側に移動する。これにより、スライド部材８０は、記録メディア３６，４６の側面に近接する方向に移動し、且つ係合部８０ｈがクランプ用凹部４４，５４に係合する。
【００７５】
また、スライド部材８０は、挿入方向（Ａ方向）に移動してスライド部材８０が記録メディア３６，４６を側方からクランプすると共に、当接部８０ｇの側面が検出用穴７４ｑを介してメディア挿入検出センサ７８に対向する。そのため、メディア挿入検出センサ７８からの検出光は、当接部８０ｇの側面に照射され、その反射光はメディア挿入検出センサ７８によって検出される。
【００７６】
尚、スライド部材８１は、上記スライド部材８０とほとんど左右対称となる形状に形成されており、その説明を省略する。また、スライド部材８０，８１は、係合部８０ｈ，８１ｈがガイド部材５８，５９のガイド壁５８ａ，５９ａの内側に変位してクランプ用凹部４４，５４に嵌合することでガイド壁５８ａ，５９ａによる挿入方向への規制が解除されてＡ方向への摺動が可能になる。
【００７７】
従って、ホルダ５６に記録メディア３６，４６が挿入される過程でスライド部材８０，８１は、挿入方向に移動しながら互いに近接する方向に移動して係合部８０ｈ，８１ｈを両側から記録メディア３６，４６のクランプ用凹部４４，５４に係合させ、これにより記録メディア３６，４６を両側から挟持する。
【００７８】
ここで、記録メディア３６が正しい向きでホルダ５６に挿入された場合のメディア装着動作について、図１８乃至図２１を参照して説明する。
図１８はメディア挿入開始状態を説明するための平面図である。図１９はメディアクランプ状態を説明するための平面図である。図２０はメディア挿入検出状態を説明するための平面図である。図２１はメディア装着完了状態を説明するための平面図である。
【００７９】
図１８に示されるように、記録メディア３６が正しい向きで挿入口２０に挿入された場合、記録メディア３６の挿入側端部３６ａが蓋部材２６を開方向に押圧してホルダ５６内部に進入する。記録メディア３６は、左右側面のガイド溝４２に側板７５ｂ，７５ｃの内壁に突出するガイド部７５ｄ，７５ｅが嵌合して挿入方向及び高さ位置をガイドされる。そして、記録メディア３６の挿入側端部３６ａの右側がメディア挿入検出部材６１のメディア当接ピン６７に当接する。
【００８０】
尚、ホルダ５６が初期位置にあるとき、スライド部材８０，８１は、夫々トーションバネ８２，８３によって外側（係止解除方向）に付勢されているため、係合部８０ｈ，８１ｈが左右方向に開いた状態にある。
【００８１】
図１９に示されるように、さらに、記録メディア３６がＡ方向に押圧されてホルダ５６内に挿入されると、メディア挿入検出部材６１がコイルバネ６３のバネ力に抗してＡ方向に摺動すると共に、メディア挿入検出部材６１の規制部６１ｂがスライド部材８０の延出部８０ｃから離間する。
【００８２】
これにより、スライド部材８０は、メディア挿入検出部材６１による規制が解除され、摺動可能な状態になる。そして、記録メディア４６の挿入側端部４６ａがスライド部材８０，８１の当接部８０ｇ，８１ｇに当接する。
【００８３】
図２０に示されるように、さらに、記録メディア３６がＡ方向に押圧されると、当接部８０ｇ，８１ｇがＡ方向に押圧されるため、スライド部材８０，８１は挿入方向に摺動しながら内側にも摺動して記録メディア４６の両側をクランプする。すなわち、当接部８０ｇ，８１ｇが記録メディア３６の挿入側端部３６ａにより挿入方向（Ａ方向）に押圧されると共に、スライド部材８０，８１はガイドピン８０ｅ，８０ｆが天板７４ａに形成された傾斜ガイド部７４ｆ（図１３参照）に沿って摺動するため、内側にも移動する。
【００８４】
すなわち、スライド部材８０，８１は、挿入方向（Ａ方向）に対して斜め２０度の方向にスライドして左右両側から記録メディア３６の側面に近接する方向に移動することで、係合部８０ｈ，８１ｈがクランプ用凹部４４に係合する。これで、記録メディア３６は、両側からスライド部材８０，８１によって挟持されるようにクランプされ、且つクランプ用凹部４４が係合部８０ｈ，８１ｈによって係止される。そのため、記録メディア３６は、クランプ機構７６，７７のクランプ動作によりホルダ５６に保持された状態となる。
【００８５】
また、スライド部材８０がクランプ位置に摺動すると、当接部８０ｇの側面が検出用穴７４ｑを介してメディア挿入検出センサ７８に対向する。そのため、メディア挿入検出センサ７８は、内蔵された発光素子からの検出光を当接部８０ｇの側面に照射し、その反射光を受光素子で受光するとメディア挿入検出信号を出力する。そのため、制御回路７２は、ホルダ駆動機構６０のモータ８６を起動させる。
【００８６】
そして、モータ８６の回転駆動力は、ピニオン９８に伝達される。そして、ラック１００を有するホルダ５６は、図２１に示されるように、Ａ方向に駆動される。ホルダ５６に挿入された記録メディア３６は、ホルダ５６に保持された状態のまま装置内部に引き込まれる。
【００８７】
ホルダ５６が挿入方向に移動して装着位置に至ると、記録メディア３６の挿入側端部３６ａが装着検出スイッチ７０の切片を押圧してオンに切り替える。
【００８８】
これにより、制御回路７２は、ホルダ駆動機構６０のモータ８６の回転を停止させる。このようにホルダ５６が装着位置に到着する過程で記録メディア３６の挿入側端部３６ａに設けられたコネクタ５０が基板６６に設けられたメディア用コネクタ６４に接続される。これにより、記録メディア３６は、メディア用コネクタ６４を介してデータの書き込み、あるいは読み込みが可能になる。
【００８９】
また、ホルダ５６が装着位置に到着することにより、被押圧部７４ｐがメディア排出部材３９のローラ３９ｃに押圧する。
【００９０】
ここで、上記のように装着された記録メディア３６を排出するときのイジェクト動作について説明する。
イジェクト動作は、前面パネル１６のイジェクト釦２２が押圧操作されることで、イジェクトスイッチ７３がオンになると、モータ８６のロータ（図示せず）が逆方向に回転駆動されてホルダ５６が排出方向（Ｂ方向）に移動させられて記録メディア３６を挿入口２０へ排出する。そして、ホルダ５６が初期位置（図１８に示す）に復帰すると共に、スライド部材８０，８１は、夫々トーションバネ８２，８３のバネ力により、クランプ解除位置に復帰する。
【００９１】
これで、ホルダ５６に挿入された記録メディア３６をイジェクト方向に引き抜くことが可能になる。
【００９２】
ここで、モータ８６が故障してホルダ５６がイジェクト動作できなくなった場合に手動操作によってホルダ５６を排出方向に移動させるためのエマージェンシー操作について説明する。
【００９３】
ここで、上記エマージェンシー用工具４３を用いて装着位置で動作不能になったホルダ５６を手動操作により排出方向に移動させる操作方法及びイジェクト動作について図２２乃至図２８を併せ参照して説明する。
図２２はエマージェンシー用工具４３を前面パネル１６のエマージェンシー用孔２４から挿入した状態を示す平面図である。図２３はエマージェンシー用工具４３の挿入部４３ａの端部が噛合解除部材９５に当接する動作を拡大して示す図であり、（Ａ）は挿入部４３ａの端部が噛合解除部材９５に当接して押圧する状態を示す平面図、（Ｂ）は挿入部４３ａの端部が噛合解除部材９５を側方に摺動させて噛合解除位置に移動させた状態を示す平面図である。
【００９４】
図２２及び図２３（Ａ）に示されるように、エマージェンシー用工具４３の挿入部４３ａを前面パネル１６のエマージェンシー用孔２４から挿入すると、ガイド部材７１及び７９により挿入部４３ａの挿入位置をガイドされて、挿入部４３ａの端部が噛合解除部材９５のカム面９５ｄに当接し、カム面９５ｄをＣ方向に押圧する。これにより、噛合解除部材９５は、コイルバネ１０４のバネ力に抗してＣ方向にスライドしてピニオン９８をラック１００から離間させて噛合解除する。
【００９５】
図２３（Ｂ）に示されるように、挿入部４３ａの端部が噛合解除部材９５のカム面９５ｄを通過すると、ピニオン９８がラック１００から離間した噛合解除位置に移動し、ホルダ５６に一体的に設けられたラック１００をホルダ駆動機構６０の駆動経路から分離させることができる。
【００９６】
図２４はエマージェンシー用工具４３の挿入部４３ａの端部がメディア排出レバー３９の受け部３９ｆに当接した状態を示す平面図である。
図２４に示されるように、さらに、エマージェンシー用工具４３の挿入部４３ａをＡ方向に挿入することで、挿入部４３ａの端部がメディア排出レバー３９の受け部３９ｆに当接する。このとき、ピニオン９８がラック１００から離間した噛合解除位置に移動しているため、ホルダ５６はホルダ駆動機構６０の負荷を受けない状態にある。
【００９７】
図２５はエマージェンシー用工具４３の押圧操作によりメディア排出レバー３９が時計方向に回動した状態を示す平面図である。
図２５に示されるように、さらに、エマージェンシー用工具４３の挿入部４３ａをＡ方向に挿入すると、メディア排出レバー３９が初期位置から軸３７を支点として時計方向に回動する。これにより、メディア排出レバー３９の他端側に設けられたローラ３９ｃがホルダ５６の被押圧部７４ｐを排出方向（Ｂ方向）に押圧してホルダ５６をイジェクト動作させる。
【００９８】
図２６はエマージェンシー用工具４３の押圧操作によりメディア排出レバー３９がメディア排出完了位置に回動した状態を示す平面図である。
図２６に示されるように、さらに、エマージェンシー用工具４３がＡ方向に挿入されると共に、メディア排出レバー３９がメディア排出完了位置に回動し、ホルダ５６を初期位置に復帰させる。これで、ホルダ５６に保持された記録メディア３６の排出側端部が挿入口２０より排出され、記録メディア３６をホルダ５６から取り出すことが可能になる。
【００９９】
尚、上記のようにメディア排出レバー３９の回動によりホルダ５６をイジェクト動作させる場合も、前述した通常のイジェクト動作と同様に、クランプ機構７６，７７によるクランプが解除され、且つ蓋部材２６が開閉機構６２によって内側に回動して挿入口２０を開放している。
【０１００】
図２７はエマージェンシー用工具４３を引き抜いた後にメディア排出レバー３９が動作前の初期位置に復帰する状態を示す平面図である。
図２７に示されるように、エマージェンシー用工具４３をＢ方向に引き抜くと、メディア排出レバー３９は、トーションバネ４１のバネ力により反時計方向に回動して動作前の初期位置に復帰する。
【０１０１】
図２８はエマージェンシー用工具４３を引き抜く動作を拡大して示す図であり、（Ａ）は挿入部４３ａの端部が噛合解除部材９５を噛合解除位置に保持した状態を示す平面図、（Ｂ）は挿入部４３ａの端部が噛合解除部材９５から離間する方向に引き抜かれる過程を示す平面図である。
図２８（Ａ）に示されるように、エマージェンシー用工具４３がＢ方向に引き抜かれるまでは、挿入部４３ａの端部が噛合解除部材９５を噛合解除位置に保持している。
【０１０２】
図２８（Ｂ）に示されるように、エマージェンシー用工具４３がさらにＢ方向に引き抜かれて挿入部４３ａの端部が噛合解除部材９５のカム面９５ｄを摺動すると共に、噛合解除部材９５は、コイルバネ１０４のバネ力によりＤ方向にスライドする。そして、挿入部４３ａの端部が噛合解除部材９５のカム面９５ｄから離間すると、ピニオン９８がラック１００に噛合する噛合位置に復帰する。
【０１０３】
これで、ホルダ５６は、初期位置に復帰した状態で停止しており、その後、通常のイジェクト動作を行った場合と同様に、記録メディア３６，４６の挿入を行える。
【０１０４】
尚、上記実施の形態では、記録メディア３６を装着し、その後イジェクトする場合を一例として挙げたが、記録メディア４６を装着した場合も上記と同様な動作で装着・イジェクト及びエマージェンシー用工具４３を用いた手動操作によるイジェクト動作が行われるが、ここではその説明を省略する。
【０１０５】
また、上記実施の形態では、記録メディア３６または４６を装着する場合を一例として挙げたが、これに限らず、他の形状の記録メディアを装着する装置にも適用できるのは勿論である。
【０１０６】
【発明の効果】
上述の如く、請求項１記載の発明によれば、記録メディアが挿入される挿入口を有する前面パネルと、挿入口に挿入された記録メディアを収容するホルダと、ホルダを装着位置へ移動させるホルダ駆動手段と、一端がホルダの一側端部に当接し、他端がホルダの他側に延在するように形成され、回動可能に支持されたメディア排出部材と、を備えたため、前面パネルの挿入孔から挿入された手動操作用工具によりメディア排出部材の他端を押圧し、メディア排出部材の回動によりホルダを排出方向へ移動させるものであり、部品点数を削減して構成の簡素化を図ることができ、且つ比較的小さな操作力でホルダを初期位置に戻すことができる。
【０１０７】
また、請求項２記載の発明によれば、メディア排出部材が、ホルダとホルダを覆うカバー部材との間に設けられたため、装置の小型化及び薄型化に対応することができる。
【０１０８】
また、請求項３記載の発明によれば、ホルダ駆動手段が、駆動力を伝達する複数の伝達部材を有し、手動操作用工具の挿入により複数の伝達部材による伝達経路を分断させるため、ホルダの負荷を軽減した状態でホルダを排出方向に移動させることができ、比較的小さな操作力でホルダを初期位置に戻すことができる。
【０１０９】
また、請求項４記載の発明によれば、メディア排出部材が手動操作用工具による押圧操作に伴って回動するようにホルダの移動を干渉しない位置に保持されたため、通常のホルダ搬送動作がメディア排出部材によって妨げられることを防止できる。
【０１１０】
また、請求項５記載の発明によれば、メディア排出部材を復帰方向に付勢する付勢部材を設け、手動操作用工具による押圧が解除されると共に、付勢部材の付勢力により初期位置に復帰させるため、メディア排出部材を回動させて記録メディアを装着位置から初期位置に移動させた後、メディア排出部材を復帰させるための操作を行う必要がない。
【図面の簡単な説明】
【図１】本発明になる記録メディア駆動装置の一実施例を示す図であり、（Ａ）は正面図、（Ｂ）は平面図、（Ｃ）は背面図、（Ｄ）は左側面図、（Ｅ）は右側面図である。
【図２】２．５インチディスクの記録メディアの一例を示す図であり、（Ａ）は平面図、（Ｂ）は正面図、（Ｃ）は側面図である。
【図３】１．８インチディスクの記録メディアの一例を示す図であり、（Ａ）は平面図、（Ｂ）は正面図、（Ｃ）は側面図である。
【図４】カバー１４を外した状態を示す平面図である。
【図５】（Ａ）は前面パネル１６を内側からみた背面図、（Ｂ）は蓋部材２６の開閉動作を示す側面図である。
【図６】前面パネル１６を外したシャーシ１２の内部構造を示す縦断面図である。
【図７】カバー１４及び前面パネル１６を外した状態を示す正面図である。
【図８】カバー１４及び背面パネル１８を外した状態を示す背面図である。
【図９】カバー１４を外した状態を示す側面図である。
【図１０】メディア排出レバー３９の構成を示す図であり、（Ａ）は平面図、（Ｂ）は正面図である。
【図１１】エマージェンシー用工具の一例を示す平面図である。
【図１２】噛合解除部材９５の構成を示す図であり、（Ａ）は正面図、（Ｂ）は平面図、（Ｃ）は背面図、（Ｄ）は左側面図、（Ｅ）は右側面図である。
【図１３】ホルダ５６の平面図である。
【図１４】ホルダ５６の正面図である。
【図１５】ホルダ５６の左側面図である。
【図１６】ホルダ５６の右側面図である。
【図１７】ホルダ５６の左側に配置されたスライド部材８０の構成を示す図であり、（Ａ）は正面図、（Ｂ）は平面図、（Ｃ）は背面図、（Ｄ）は左側面図、（Ｅ）は右側面図、（Ｆ）は底面図である。
【図１８】メディア挿入開始状態を説明するための平面図である。
【図１９】メディアクランプ状態を説明するための平面図である。
【図２０】メディア挿入検出状態を説明するための平面図である。
【図２１】メディア装着完了状態を説明するための平面図である。
【図２２】エマージェンシー用工具４３を前面パネル１６のエマージェンシー用孔２４から挿入した状態を示す平面図である。
【図２３】エマージェンシー用工具４３の挿入部４３ａの端部が噛合解除部材９５に当接する動作を拡大して示す図であり、（Ａ）は挿入部４３ａの端部が噛合解除部材９５に当接して押圧する状態を示す平面図、（Ｂ）は挿入部４３ａの端部が噛合解除部材９５を側方に摺動させて噛合解除位置に移動させた状態を示す平面図である。
【図２４】エマージェンシー用工具４３の挿入部４３ａの端部がメディア排出レバー３９の受け部３９ｆに当接した状態を示す平面図である。
【図２５】エマージェンシー用工具４３の押圧操作によりメディア排出レバー３９が時計方向に回動した状態を示す平面図である。
【図２６】エマージェンシー用工具４３の押圧操作によりメディア排出レバー３９がメディア排出完了位置に回動した状態を示す平面図である。
【図２７】エマージェンシー用工具４３を引き抜いた後にメディア排出レバー３９が動作前の初期位置に復帰する状態を示す平面図である。
【図２８】エマージェンシー用工具４３を引き抜く動作を拡大して示す図であり、（Ａ）は挿入部４３ａの端部が噛合解除部材９５を噛合解除位置に保持した状態を示す平面図、（Ｂ）は挿入部４３ａの端部が噛合解除部材９５から離間する方向に引き抜かれる過程を示す平面図である。
【符号の説明】
１０  記録メディア駆動装置
１２  シャーシ
１４  カバー
１６  前面パネル
１８  後部パネル
２０  挿入口
２２  イジェクト釦
２６  蓋部材
３５  手動操作用メディア排出機構
３６  第１の記録メディア
３７  軸
３８，４８  カートリッジ
３９  メディア排出レバー
４０，５０  コネクタ
４１  トーションバネ
４２，５２  ガイド溝
４３  エマージェンシー用工具
４４，５４  クランプ用凹部
４６  第２の記録メディア
５６  ホルダ
５７  メディア誤挿入防止機構
５８，５９  ガイド部材
６０  ホルダ駆動機構
６１  メディア挿入検出部材
６２  開閉機構
６４  メディア用コネクタ
６６  基板
６７  メディア当接ピン
６８  ホルダ検出スイッチ
７０  装着検出スイッチ
７２  制御回路
７４，７５  摺動部材
７６，７７  クランプ機構
７８  メディア挿入検出センサ
８０，８１  スライド部材
８６  モータ
８８  伝達機構
９８  ピニオン
１００  ラック
【図１】
2004348814.tif 000003
【図２】
2004348814.tif 000004
【図３】
2004348814.tif 000005
【図４】
2004348814.tif 000006
【図５】
2004348814.tif 000007
【図６】
2004348814.tif 000008
【図７】
2004348814.tif 000009
【図８】
2004348814.tif 000010
【図９】
2004348814.tif 000011
【図１０】
2004348814.tif 000012
【図１１】
2004348814.tif 000013
【図１２】
2004348814.tif 000014
【図１３】
2004348814.tif 000015
【図１４】
2004348814.tif 000016
【図１５】
2004348814.tif 000017
【図１６】
2004348814.tif 000018
【図１７】
2004348814.tif 000019
【図１８】
2004348814.tif 000020
【図１９】
2004348814.tif 000021
【図２０】
2004348814.tif 000022
【図２１】
2004348814.tif 000023
【図２２】
2004348814.tif 000024
【図２３】
2004348814.tif 000025
【図２４】
2004348814.tif 000026
【図２５】
2004348814.tif 000027
【図２６】
2004348814.tif 000028
【図２７】
2004348814.tif 000029
【図２８】
2004348814.tif 000030